(57)【要約】      （修正有）【課題】屋外に於ける公園、庭園、遊園地、人が集まる場所などに、日常備わっているベンチについて、雨の日になにげなく、設置してあっても風雪・風雨に汚れたベンチには、鳥の糞などが付着していたりしていた場合に感心もなく座わらずに、あまり利用しないで素通りする人の方が多い為、これらの対策としての手立てを講じて検討して見ました。【解決手段】化粧品のファンデーションのコンパクトの様な開閉自在で蓋付きで、雨や風に強いベンチを考案。席を離れる時に，緩やかに蓋が閉まる様にして、蓋と椅子の開閉箇所には雨が入らない様に隙間を作らず、密着してしっかりと閉まる様に材質に見合った金具を取り付ける蓋と，脚の箇所も同じくアートを施し、設置場所の景色と景観に見合った芸術性の高いものにする。【選択図】図２
0003119650.tif 000002
【実用新案登録請求の範囲】
【考案の詳細な説明】
【技術分野】
【０００１】公園などのベンチに蓋を付けて、日常の雨、風にさらされない様に開閉出来る様にする。座わる所は、季節によって、取り替え自在にして、冬は「ムートン」，夏は「ご座」など、臨機応変に対処出来る様にする。
座わる箇所を二層にして、上層箇所はＵ字形と、真ん中から左右に分かれる様にしてファスナーをそれぞれ取り付けることにより膝掛けにもなる。
蓋の表面はデコパージュとか木彫りなどアートな感覚にして、椅子を支える足もその様にすることにより色々な発想で楽しめることが出来る。
【背景技術】
【０００２】一人掛け・二人掛けの椅子
高さと長さは現在私版されている標準の物を参考にして、使用用途に合わせる。
大人、子供が座っても壊れないで頑丈な椅子を製作する。
座わった時に背中で背もたれを抑える様にして、立ち上がって場を離れる時に緩やかに閉じる様にすることにより立ち去った後で，自然に閉じるので雨が降って来てもなんら問題はない。この時に、特にお年寄り、子供がはさまれる事故に遭わない様に安全には十分留意する。
【考案の開示】
【０００３】公園・庭のベンチ・遊園地のベンチ・その他（例えば自動販売機の辺り）におけるベンチ等用途は幅広い。
【考案が解決しようとする課題】
【０００４】現在、設置してあるベンチは、日常、風雨・風雪にさらされていたり，鳥の糞などが付着していたとしたら，座わる気持ちにはなれない。その様な時にこの様な手だてが施してあったなら，利用者も気持ち良く使用できると思われる。そして、その土地その場所に見合ったアートを施すことも重要な要素の一因であると確信する。
【課題を解決する為の手段】
【０００５】ベンチに蓋を付ける。例えば化粧品のファンデーションのケースのコンパクトの様に開閉自在にする事により、風雨・風雪の被害からの劣化を防ぐことが出来る。
尚，蓋と椅子の前面には錆びて腐蝕しない留め金具を取り付ける様に、創意工夫をする。
【考案の効果】
【０００６】利用頻度の高い場所などは、快適に利用できる。そうではない場所などは、蓋の表面に施したアートな感じでその場所の景観に見合った風景を醸しだすことが出来る。
また「産業の復興」にも成りうる．
【考案を実施する為の最良の形態】
【０００７】置外に設置してある飲料水の自動販売機・たばこの自動販売機等の辺りなどはすぐに効果が現れて、そのときに喉が乾いて飲み物を求めたり、たばこを吸いたくて自販機で買い求めたりする為，多少の雨でも椅子がある場合座れるので、その場で喫飲出来て、売上が多少は伸びる可能性は高いと思われる。
雨でも対応できるように座わる箇所と背もたれをビニール系、人工のレザー等にした場合，レイン・コートを着用していると、座わる事ができる。背もたれには広告も貼ることが出来て外観からは、なんら問題はないので，景観を害する事はない。
天候によっても、座席部分を、替えることが出来る．
【実施例】
【０００８】実用的であると言う事が何より優先である。
椅子の蓋が芸術的で一つ一つに違ったデザインを施してある為、宝石箱を開ける様な感覚で四季折々の工夫を見い出す事が出来、興味のある人にとっては新しい楽しみを発見することが出来る。
【産業上の利用可能性】公園、庭園、遊園地、自動販売機の辺り、人が集まる場所など、用途は幅広く産業上の利用価値の高い、芸術的魅力のあるコンパクト式ベンチである。
【図面の簡単な説明】
【０００９】※一人か二人掛けのベンチに蓋を付けて開閉自在にする
※蓋の表面にはアートなデザインを施す（景観にマッチした芸術作品で）
※季節と，天候により椅子の敷物と背もたれを創意工夫する。
※背もたれは広告を貼る場所にも使用できる。
（立ち上がった時に緩やかに閉まる様に工夫する）
※脚の部分も頑丈でアートな感覚を施す
※座わる場所を二層にしてファスナーを取り付けるることで，上の箇所を膝掛けに利用できる。
（正面から見た椅子全体のＵ字形の箇所にファスナーと、真ん中にファスナーを取り付ける。）
※蓋と椅子を留める金具を材質によって振り分けて取り付ける，金属は錆びて腐蝕しないものを、使用する。
【符号の説明】
【００１０】▲１▼背もたれ、兼、蓋  デコパージュ、木彫り、その他、雨にも強くてアートな感覚で）
▲２▼椅子
（ムートン，人工皮革、ビニール、い草など素材によって、ファスナー付を取り付ける）
▲３▼脚（アートな感覚で）
【図１】
0003119650.tif 000003
【図２】
0003119650.tif 000004
【図３】
0003119650.tif 000005
【手続補正書】
【提出日】平成17年8月27日(2005.8.27)
【手続補正１】
【補正対象書類名】実用新案登録請求の範囲
【補正対象項目名】全文
【補正方法】変更
【補正の内容】
【実用新案登録請求の範囲】
【請求項１】
１公園のベンチ、庭園のベンチ、遊園地のベンチ、自動販売機の辺り、スポーツ観戦時のベンチ、駅のホーム、バス停、待合室など、人が集まる場所に使用するベンチ。
２背もたれ兼蓋などは、設置する場所、景観に合わせた、アートな感覚でデコパージュ，木彫り，その他、雨，風に強く劣化が起きない材質を使用する。
３蓋をコンパクト形の開閉自在にする事により，腰掛けて立ち去る時に自然と蓋が閉まる様にする事で、後に雨が降り始めても、何も差し障りがない。
４、蓋と椅子が密接して雨が入らない様、又蓋が開かない様に、錆びて腐蝕しない留め金具を使用する。
５椅子の座る所には、ムートン、人工皮革、ビニール、ナイロン、い草など場所によって素材を変える。スポーツ観戦時の椅子などに、ナイロンを取りつけた場合、正面から見て座わる所に、Ｕ字形のファスナーを横向きにして左、右どちらかから取り付けるか、もしくは、真ん中から左、右分ける様にして取りつけた場合、小雨の日に膝掛けにすると雨よけ防具となる
６利用価値があって芸術的魅力を施すことができるコンパクト式ベンチである。
【手続補正２】
【補正対象書類名】明細書
【補正対象項目名】０００９
【補正方法】変更
【補正の内容】
【０００９】
【図１】
立面図  背もたれ兼蓋付きで蓋を開けた時の状態  １  一人か二人掛けのベンチに蓋を付けて開閉自在にする  ２  季節と天候により椅子の敷物を創意工夫する  ３  背もたれは広告を貼る場所にも使用できる、そして立ち去る時に緩やかに閉まる様に工夫する  ４  脚の部分も頑丈でアートな感覚を施す  ５  座わる箇所を二層にしてファスナーを取り付ける事で上の箇所を膝掛けに利用できる正面から見て座わる所に、Ｕ字型のファスナーを横向きにして左、右どちらかから開けられる様に取り付けるか、もしくは、真ん中から左、右に分ける様にして取り付けた場合、傘をさして座わった時に膝掛けにすると雨よけ防具となる
【図２】
斜面図  １  上記に同じ
【図３】
立面図  背もたれ兼蓋付きで蓋を閉めた時の状態  １  蓋の表面にはアートなデザインを施す  ２  蓋と椅子を留める金具を材質によって振り分けて取り付ける  ３  金具は錆びて腐蝕しない物を使用する
【符号の説明】
【００１０】
１背もたれ兼蓋（蓋にはデコパージュ、木彫り、その他、雨にも強くてアートな感覚の材質を使用）
２椅子の座わる部分（ムートン、人工皮革、ビニール、ナイロン，イ草など）
３脚（アートな感覚の創意工夫）
【手続補正書】
【提出日】平成17年11月24日(2005.11.24)
【手続補正１】
【補正対象書類名】実用新案登録請求の範囲
【補正対象項目名】全文
【補正方法】変更
【補正の内容】
【実用新案登録請求の範囲】
【請求項１】
人が集まる場所に使用され背もたれ兼蓋付きにして設置し、蓋の表面には劣化が起きない材質を使用してデザインを施す、そして蓋をコンパクト式の開閉自在にすることにより、腰掛けて立ち去る時に自然と蓋が閉まるものであり、蓋と椅子が密接して雨が入らない様に錆びて腐蝕しない留め金具を使用される，蓋付きコンパクト式ベンチ